(57)【要約】【課題】  本考案は今までの鍋つかみの機能に、揚げ物や炒め物等で飛び散る油から手を保護する油跳ね防止機能を有した鍋つかみを提供する。【解決手段】  本考案は、親指挿入部、四指挿入部、手の平保護面、手の甲保護面で形成される手袋状の鍋つかみに、飛び散る油から手を保護するための使用方法として手の平側中央部近傍に５本の指を通す五指通し口として切り込みを有し、四指挿入部が手の甲の覆いカバーとなり手の平保護面、手の甲保護面が前腕の中間近傍までの覆いカバーになる。また、四指挿入部に固定紐を有し覆いカバーがズレることを防止できる。【選択図】図１
0003123467.tif 000002
【実用新案登録請求の範囲】
【請求項１】
親指を挿入する袋状の親指挿入部と親指以外の他の４本の指を挿入する袋状の四指挿入部を有し、手の平保護面と手の甲保護面から成る手袋状の鍋つかみである。また、手の平側中央部近傍の前記四指挿入部と前記手の平保護面の接する面に５本の指を通すための五指通し口として切り込みを入れる。
鍋つかみとして使用する際、前記五指通し口の間から手が覗いて火傷しないようにするため前記四指挿入部と前記手の平保護面が重なり合うように形成することを特徴とする鍋つかみである。
【請求項２】
飛び散る油から手を保護するための使用方法として、手の平側中央部近傍の前記四指挿入部と前記手の平保護面の接する面に５本の指を通すための五指通し口として切り込みを入れる。前記五指通し口から５本の指を通すことにより前記四指挿入部が手の甲側の覆いカバーとなり、前記手の平保護面と前記手の甲保護面が前腕の中間近傍までの覆いカバーとなることを特徴とする請求項１に記載の鍋つかみである。
【請求項３】
前記覆いカバーがズレることを防ぐため、前記五指通し口から通した５本の指のうち中指に通す固定紐を有したことを特徴とする請求項１または２に記載の鍋つかみである。
【請求項４】
前記親指挿入部を手の平側中央部の留め具に留め付けて収納し、手に沿った筒形状に形成することで調理時の手の動きを邪魔することなく使用できることを特徴とする請求項１から３に記載の鍋つかみである。
【考案の詳細な説明】
【技術分野】
【０００１】  本考案は、揚げ物等での油の飛び散りから手を保護し火傷を防止するための機能を有した鍋つかみに関するものである。
【背景技術】
【０００２】  今までの鍋つかみは、熱いものを掴むだけの使い道の限られたものであった。
【考案の開示】
【考案が解決しようとする課題】
【０００３】  そこで本考案は、今までの熱いものを掴むという鍋つかみの機能に加え、揚げ物や炒め物等で飛び散る油から手を保護するための機能を加え一体化し、より使い道を広げることができ前記の欠点を解決するものである。
【課題を解決するための手段】
【０００４】  目的を達成するための本考案における鍋つかみは、親指を入れる袋状の親指挿入部と親指以外の他の４本の指を入れる袋状の四指挿入部を有し、手の平保護面と手の甲保護面で形成される手袋状の鍋つかみである。また鍋つかみとして使用する際、手の挿入口から手を入れ親指を親指挿入部に入れ親指以外の他の４本の指を四指挿入部に入れることで手袋の様に容易に使用することができる。また、前記四指挿入部と前記手の平保護面の接する面の五指通し口となる切り込みの間から手が覗いて火傷しないようにするため前記四指挿入部と前記手の平保護面が重なり合うように形成されている。【０００５】  また、手の平側中央部近傍に前記四指挿入部と前記手の平保護面の接する面に５本の指を通すための五指通し口として切り込みが入れてあるので飛び散る油から手を保護するため使用する際、手の挿入口から手を入れ前記五指通し口から５本の指を通す。そうすることにより前記四指挿入部が手の甲側の覆いカバーとなり、手の平保護面と手の甲保護面が前腕の中間近傍までの覆いカバーとなり、揚げ物や炒め物等で飛び散る油から手を保護することができる。さらに前記五指通し口から通した５本の指は自由に動かすことができるので箸を掴むことができる。【０００６】  調理時の手の動きで覆いカバーがズレることを防ぐため前記四指挿入部の手の平側に固定紐を有し、前記五指通し口から通した５本の指のうち中指を固定紐に通すことでズレを防止することができる。また前記親指挿入部を手の平側中央部の留め具に留め付けて収納し、手に沿った筒形状にすることで調理時の手の動きを邪魔することなく安全且つ安心して使用することができる。
【考案の効果】
【０００７】  よって本考案の鍋つかみは、今まで通り熱いものを掴むこともでき手袋状の形状をしているので容易に使用することができる。また、５本の指を五指通し口から通すことで手の甲側の覆いカバーとなり揚げ物や炒め物等の飛び散る油から手を保護することができる。さらに、５本の指は自由に動かすことができるので箸を掴むことができる。
【考案を実施するための最良の形態】
【０００８】  耐熱性と柔軟性のある素材を用い、親指を入れる袋状の親指挿入部と親指以外の他の４本の指を入れる袋状の四指挿入部、手の平保護面、手の甲保護面によって形成される手袋状の鍋つかみである。また飛び散る油から手を保護するために使用する際、手の平側中央部近傍の前記四指挿入部と前記手の平保護面の接する面に５本の指を通すための五指通し口として切り込みを入れ、前記四指挿入部には固定紐を縫い付け五指通し口から通した５本の指のうちの中指を固定紐に通すことで覆いカバーがズレることを防止できる。
前記親指挿入部を手の平側中央部の留め具に留め付けて収納し手に沿った筒形状にすることで手の動きを邪魔することなく使用できる。
鍋つかみとして使用する際、五指通し口の間から手が覗いて火傷しないようにするために前記四指挿入部と前記手の平保護面が重なり合うように形成する。
【実施例】
【０００９】  以下本考案を図面の実施例により具体的に説明する。
図１において、鍋つかみ１は親指を入れる袋状の親指挿入部６と親指以外の他の４本の指を入れる袋状の四指挿入部３を有し、手の平保護面４と手の甲保護面５により形成される手袋状の鍋つかみである。【００１０】  手の挿入口２から手を入れ、親指は親指挿入部６に入れ親指以外の他の４本の指は四指挿入部３に入れることで手袋のように容易に使用することができる鍋つかみである。【００１１】  図２において、飛び散る油から手を保護するため使用する際、手の平側中央部近傍の四指挿入部３と手の平保護面４の接する面に５本の指を通すための五指通し口８を有す。そうすることにより、四指挿入郎３が手の甲側の覆いカバーとなり、手の平保護面４と手の甲保護面５が前腕の中間近傍まで覆うカバーとなり火傷から手を保護することができる。【００１２】  また五指通し口８から通した５本の指のうち中指を四指挿入部３の手の平側に縫い付けた固定紐７に通すことで調理時の手の動きで覆いカバーがズレることを防止できる。【００１３】  さらに親指挿入部６を留め具９に留め付けて収納し、手に沿った筒形状に形成することで調理時の手の動きを邪魔することなく使用できる。【００１４】  また手の甲保護面５の手首に近い側に吊り下げ紐１１を付けることで壁に掛けることができ便利である。【００１５】  四指挿入部３と手の平保護面４で形成されている五指通し口８は四指挿入部３が手の平保護面４の内側になり、重なり合うことで五指通し口８の間から手が覗いて火傷しないように形成されている。【００１６】  また手の挿入口２の外縁、五指通し口８の四指挿入部３と手の平保護面４の重なり合う面の縁の布地の解れを防ぐため両面を挟むようにバイアステープ１０で共に縫い合わせて補強されている。【００１７】  図３において、飛び散る油から手を保護するための使用方法として、留め具９を留め付けて収納し鍋つかみ１を手に沿った筒形状にする。手の挿入口２から手１２を入れ五指通し口８から５本の指を通し固定紐７に中指を通すことでズレを防止し、四指挿入部３が手の甲側の覆いカバーとなり手の平保護面４と手の甲保護面５が前腕の中間近傍までの覆いカバーとなり飛び散る油から手を保護することができる。
【図面の簡単な説明】
【００１８】
【図１】本考案の油跳ね防止機能付鍋つかみの斜視図である。
【図２】本鍋つかみ前図のＡ−Ａ線一部切欠断面斜視図である。
【図３】本鍋つかみの油跳ね防止機能としての実施図である。
【符号の説明】
【００１９】  １    鍋つかみ
２    手の挿入口
３    四指挿入部
４    手の平保護面
５    手の甲保護面
６    親指挿入部
７    固定紐
８    五指通し口
９    留め具
１０  バイアステープ
１１  吊り下げ紐
１２  手
【図１】
0003123467.tif 000003
【図２】
0003123467.tif 000004
【図３】
0003123467.tif 000005
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
・親指を挿入する袋状の親指挿入部と親指以外の他の４本の指を挿入する袋状の四指挿入部を有し、手の平保護面と手の甲保護面で構成され手の平側中央部近傍の前記四指挿入部と前記手の平保護面の接する面に５本の指を通すための五指通し口として切り込みを入れ、鍋つかみとして使用する際に前記五指通し口の間から手が覗いて火傷しないようにするため前記四指挿入部と前記手の平保護面が重なり合う形状を有することを特徴とする鍋つかみ。
【請求項２】
・飛び散る油から手を保護するための使用方法として、手の平側中央部近傍の前記四指挿入部と前記手の平保護面の接する面に５本の指を通すための五指通し口として切り込みを入れ、前記五指通し口から通した５本の指を通すことにより前記四指挿入部が手の甲側の覆いカバーとなり、前記手の平保護面と前記手の甲保護面が前腕の中間近傍までの覆いカバーなることを特徴とする請求項１に記載の鍋つかみ。
【請求項３】
・前記覆いカバーがズレることを防ぐため、前記五指通し口から通した５本の指のうち中指に通す固定紐を有したことを特徴とする請求項１または２に記載の鍋つかみ。
【請求項４】
・前記親指挿入部を手の平側中央部の留め具に留め付けて収納し、手に沿った筒形状に形成することで調理時の手の動きを邪魔することなく使用できることを特徴とする請求項１〜３のいずれか一項に記載の鍋つかみ。